(57)【特許請求の範囲】
【請求項１】
カード状記録媒体を搬送する搬送路と、
前記搬送路の一端側に形成され、前記カード状記録媒体を前記搬送路から外部へ排出しまたは外部から前記搬送路へ引き込む排出引込口と、
前記搬送路上において前記カード状記録媒体を移動させる搬送機構と、
前記搬送機構を制御し、前記搬送路上における前記カード状記録媒体の移動開始、移動停止、移動速度および移動方向を制御する搬送制御部と、
前記搬送路の途中に設けられ、当該搬送路の長さ方向と交わる方向に伸長する線分単位で前記カード状記録媒体に情報を記録するサーマルヘッドと、
前記サーマルヘッドを制御し、前記カード状記録媒体に二次元コードを記録する二次元コード記録部と、
前記搬送路の途中であって前記サーマルヘッドと前記排出引込口との間に設けられ、前記カード状記録媒体に記録された情報を、当該搬送路の長さ方向と交わる方向に伸長する線分単位で読み取るラインセンサと、
前記排出引込口から前記搬送路に引き込まれた前記カード状記録媒体に記録された識別マークを前記ラインセンサで読み取ることにより、当該カード状記録媒体の上下方向の向きを判断し、当該カード状記録媒体の上下方向の向きが一の方向であるかその反対方向であるかに応じて異なる位置設定基準値を設定する向き判断部と、
前記サーマルヘッドにより前記カード状記録媒体に記録された二次元コードを前記ラインセンサにより読み取り、当該読み取った二次元コードについてベリファイ処理を行うベリファイ処理部とを備え、
前記搬送路の他端側に位置する前記カード状記録媒体を当該搬送路の一端側に向けて移動させ、前記サーマルヘッドによる前記二次元コードの前記カード状記録媒体への記録を開始する位置へ停止させ、その後、当該カード状記録媒体を当該搬送路の一端側に向けて移動させつつ、当該カード状記録媒体に前記二次元コードを前記サーマルヘッドにより記録し、その後、当該カード状記録媒体に記録された前記二次元コードを前記ラインセンサにより読み取って前記ベリファイ処理を行い、その後、前記カード状記録媒体を前記排出引込口から排出する間において、前記搬送制御部は、当該カード状記録媒体に前記二次元コードを前記サーマルヘッドにより記録している期間は当該カード状記録媒体を前記搬送路の他端側から一端側に向けて第１の速度で移動させ、前記カード状記録媒体に記録された前記二次元コードを前記ラインセンサにより読み取っている期間は当該カード状記録媒体を前記搬送路の他端側から一端側に向けて前記第１の速度または前記第１の速度よりも速い第２の速度で移動させ、前記サーマルヘッドによる前記カード状記録媒体に対する前記二次元コードの記録期間および前記ラインセンサによる前記カード状記録媒体に対する前記二次元コードの読取期間において前記カード状記録媒体の移動を停止させないこととし、
前記搬送制御部は、前記サーマルヘッドによる前記二次元コードの前記カード状記録媒体への記録を開始する位置を、前記向き判断部により設定された位置設定基準値に基づいて定めることを特徴とするカード状記録媒体処理装置。
【請求項２】
前記搬送制御部は、前記カード状記録媒体に前記二次元コードを前記サーマルヘッドにより記録している期間は前記カード状記録媒体を前記搬送路の他端側から一端側に向けて前記第１の速度で移動させ、前記二次元コードの前記カード状記録媒体への前記サーマルヘッドによる記録が終了してから前記カード状記録媒体に記録された前記二次元コードの前記ラインセンサによる読取が開始されるまでの期間は前記カード状記録媒体を前記搬送路の他端側から一端側に向けて前記第２の速度よりも速い第３の速度で移動させ、前記カード状記録媒体に記録された前記二次元コードを前記ラインセンサにより読み取っている期間は前記カード状記録媒体を前記搬送路の他端側から一端側に向けて前記第２の速度で移動させることを特徴とする請求項１に記載のカード状記録媒体処理装置。
【請求項３】
前記ベリファイ処理部による前記ベリファイ処理の結果、前記二次元コードの前記カード状記録媒体への記録が正常に行われなかったことが認識された場合には、前記搬送制御部は、当該カード状記録媒体を前記搬送路の一端側から他端側へ向けて前記第２の速度よりも速い第３の速度で移動させることを特徴とする請求項１に記載のカード状記録媒体処理装置。
【請求項４】
前記サーマルヘッドと前記ラインセンサとの間に設けられ、前記搬送路上を移動する磁気ストライプ式のカード状記録媒体に形成された磁気ストライプ部に対して情報の読取または記録を行う磁気ヘッドを備えていることを特徴とする請求項１ないし３のいずれかに記載のカード状記録媒体処理装置。
【請求項５】
前記排出引込口から前記搬送路に引き込まれた前記カード状記録媒体の所定の領域を前記ラインセンサにより読み取り、当該カード状記録媒体が前記磁気ストライプ式のカード状記録媒体か否かを判断する種別判断部と、
前記搬送制御部は、前記種別判断部の判断結果に基づき、前記排出引込口から前記搬送路に引き込まれた前記カード状記録媒体が磁気ストライプ式のカード状記録媒体である場合と磁気ストライプ式のカード状記録媒体でない場合とで、前記搬送路上において当該カード状記録媒体を前記搬送路の一端側から他端側に向けて移動させる速度を異ならせることを特徴とする請求項４に記載のカード状記録媒体処理装置。
【発明の詳細な説明】
【技術分野】
【０００１】
本発明は、例えば駐車券等のカード状記録媒体に対し、二次元コード等の情報の記録または読取を行うカード状記録媒体処理装置に関する。
【背景技術】
【０００２】
現在、磁気ストライプ式のカード状記録媒体である磁気ストライプカードが広く普及している。磁気ストライプカードは、紙製または樹脂製のカードに帯状の磁性体を付すことにより形成され、その帯状の磁性体は磁気ストライプと呼ばれる。このような磁気ストライプカードを採用した駐車券である磁気ストライプ式駐車券は、多くの駐車場で利用されている。磁気ストライプ式駐車券を利用した駐車場において、駐車券発行機は、磁気ヘッドを備え、駐車券発行時に、例えば利用者が駐車場に入場した入場日時等の情報を、磁気ヘッドにより磁気ストライプ式駐車券の磁気ストライプに記録する。また、精算機も磁気ヘッドを備え、精算時に、磁気ストライプ式駐車券の磁気ストライプに記録された入場日時等の情報を磁気ヘッドにより読み取り、駐車時間を算出して駐車料金の計算を行う。また、磁気ストライプカードは、駐車券としてだけでなく、駐車場を利用するための定期券や回数券、サービス券、割引券等としても広く普及している。
【０００３】
一方、近年、バーコードまたは二次元コードを用いた駐車券の普及が拡大している。バーコードまたは二次元コードを用いた駐車券は、磁気ストライプを有しないため、磁気ストライプ式駐車券と比較して、ランニングコストを削減することができる。例えば、特許文献１にはバーコードを用いた駐車券が記載され、特許文献２および３には二次元コードを用いた駐車券が記載されている。
【先行技術文献】
【特許文献】
【０００４】
【特許文献１】特開２００４−８６２９０号公報
【特許文献２】特開２００９−２４５２１１号公報
【特許文献３】特開２００６−１１９６９８号公報
【発明の概要】
【発明が解決しようとする課題】
【０００５】
ところで、例えばＱＲコード（登録商標）等の二次元コードはバーコード（一次元コード）と比較して多くの情報を記録することができる等のメリットがあるため、入場日時等の情報を二次元コードとして駐車券に記録することが望ましい。しかしながら、入場日時等の情報を二次元コードとして駐車券に記録する場合、次のような問題がある。
【０００６】
まず、二次元コードが印刷不良の駐車券が発行されてしまうおそれがあるという問題がある。すなわち、二次元コードを駐車券に記録する方法として、駐車券を感熱紙により形成し、サーマルヘッドを用いて二次元コードを駐車券の表面に印刷する方法が考えられる。この場合、サーマルヘッドを駐車券の表面に押し付けて熱を加える際に、サーマルヘッドの駐車券に対する押圧が不十分または不均一となることがある。この結果、二次元コードが駐車券に正常に印刷されず、二次元コードの一部が欠けた状態になる等の印刷不良が生じることがある。また、このような二次元コードの印刷不良は、長期間の使用によりサーマルヘッドの先端部が磨耗した場合、感熱紙である駐車券の表面の感熱層にムラがある場合、駐車券の表面に異物や汚れが付着している場合等にも発生し得る。発行された駐車券の二次元コードが印刷不良であった場合、利用者はその駐車券を用いて精算機により駐車料金の精算を行うことができなくなる等の不都合が生じる。
【０００７】
次に、ベリファイ処理を行って二次元コードの印刷不良を防止する措置を採ると、駐車券の発行に時間がかかるという問題が生じる。すなわち、駐車券に印刷された二次元コードについてベリファイ処理を行い、印刷不良が発見された場合には、二次元コードの駐車券への印刷をやり直して発行することとすれば、二次元コードが印刷不良の駐車券を利用者に対して発行してしまうことを未然に防ぐことができる。しかしながら、一般的にみて、または特許文献３に記載されているように、二次元コードの読取は、ＣＣＤカメラで二次元コードを撮像することにより行われる。そして、二次元コードをＣＣＤカメラで撮像するときには、ＣＣＤカメラに対し、二次元コードを静止させる必要がある。二次元コードのベリファイ処理は、二次元コードが正常に印刷されたか否かを確認する処理であるため、二次元コードを読み取る必要がある。この結果、一般的にみて、駐車券に印刷された二次元コードについてベリファイ処理を行うためには、駐車券を静止させなければならない。
【０００８】
ここで、駐車券を発行する駐車券発行機には、例えば、水平方向に伸長する搬送路が設けられ、搬送路の一端側が、駐車券発行機の外部と連通する駐車券発行口に接続され、搬送路の他端側が、駐車券発行機の内部の奥側に伸び、カード状の感熱紙である駐車券を複数枚収容した収容部に接続されている、また、搬送路には、モータにより回転するいくつかのローラが設けられ、搬送路の途中には、二次元コードを印刷するためのサーマルヘッドが設けられている。
【０００９】
このような構成を有する駐車券発行機は、次のような駐車券発行処理を行って駐車券を発行する。すなわち、モータを駆動してローラを回転させることにより、収容部に収容された駐車券のうちの１枚を搬送路の他端部に引き入れ、この駐車券を搬送路の他端側から一端側に向けて搬送する。この搬送の途中で、感熱紙がサーマルヘッドの近傍を通過するので、その間に、サーマルヘッドを駐車券に接触させ、二次元コードを駐車券に印刷する。二次元コードが印刷された駐車券が搬送路の一端部に到達し、駐車券発行口から駐車券の端部がある程度突出したとき、モータを停止させる。これにより、駐車券が駐車券発行口から一部突出した状態で停止する。利用者は、駐車券を駐車券発行口から引き抜くことで、駐車券を取得することができる。
【００１０】
このような駐車券発行機において、二次元コードのベリファイ処理を行う場合には、搬送路の途中であってサーマルヘッドと駐車券発行口との間にＣＣＤカメラを追加し、サーマルヘッドにより駐車券に二次元コードを印刷した後、ＣＣＤカメラにより二次元コードを撮像する。上述したように、二次元コードの撮像時には駐車券を静止させなければならない。このため、駐車券発行処理において、搬送路上に置かれた駐車券に二次元コードを印刷し、この駐車券をＣＣＤカメラと対向する位置に搬送し、その後、モータを停止させて、この駐車券を搬送路上において一旦停止させる。そして、ＣＣＤカメラによる二次元コードの撮像が終了し、印刷不良のないことが確認された後、モータを再び駆動し、駐車券を駐車券発行口に向けて搬送する。
【００１１】
このように、ベリファイ処理を行って二次元コードの印刷不良を防止する措置を採ると、二次元コードをＣＣＤカメラで撮像するために駐車券を搬送路上で一旦停止させなければならず、この結果、駐車券の発行に時間がかかってしまう。
【００１２】
なお、ベリファイ処理により駐車券の発行に時間がかかるという問題は、駐車券発行時に限らず、精算時にも生じ得る。例えば、駐車場の精算方式には、駐車場の場内で事前に精算を行ってから出場する方法と、出場時に駐車場の出口レーンで精算を行う方法とがある。前者の方法の場合には、利用者は、駐車場内に設置された事前精算機に駐車券を引き込ませ、事前精算機に対して精算を行い、その後、事前精算機から再発行（返却）される駐車券（精算済みの駐車券）を受け取り、そして、出場時に、出口レーンに設置された駐車券読取機に、再発行された駐車券を引き込ませ、出口のゲートを開けて出場する。この場合、駐車券を再発行（返却）する際に、事前精算機により、精算情報等を示す二次元コードを駐車券に印刷する。この結果、事前精算機による駐車券の再発行処理においてベリファイ処理を行うと、駐車券の再発行に時間がかかってしまう。
【００１３】
一方、入場日時等の精算処理に必要な情報が二次元コードとして印刷された駐車券を精算機に引き込んで精算処理を行う場合、駐車券の向きによっては二次元コードを認識することができず、精算処理を行うことができないという問題がある。例えば、精算機の券挿入口に駐車券を挿入する際に、正しくは駐車券の上端部から挿入すべきであるところ、利用者が誤って駐車券の下端部から挿入した場合には、駐車券は正しい向きとは反対の向きで精算機に引き込まれる。複数の二次元コードが駐車券に印刷されている場合、駐車券が反対の向きで引き込まれると、精算機は、駐車券に印刷された複数の二次元コードの中から精算に必要な二次元コードを直ちに読み取り、または直ちに認識することができなくなる。このため、精算機は、精算に必要な二次元コードを特定するために駐車券に印刷されたすべての二次元コードを読み取って認識する必要があり、この結果、素早く精算処理を行うことが困難になる。
【００１４】
他方、精算機において、もっぱら、精算処理に必要な情報が二次元コードとして印刷された駐車券を用いて精算処理を行うこととした場合、利用者は、駐車料金の精算に、従来から広く普及している磁気ストライプカードを採用した定期券、回数券、サービス券、割引券等を利用することができなくなり、不便であるという問題がある。例えば、多数の店が集まった大規模ショッピングモールに駐車場が設置されている場合、ショッピングモールの多数の店がそれぞれ、利用者に対し、当該駐車場の駐車料金を割引するためのサービス券や割引券を発行することがある。この場合、各店が発行するサービス券や割引券は、従来から広く普及している磁気ストライプカードであることが多い。このため、このような大規模ショッピングモールに設置された駐車場には、磁気ストライプカードを取り扱うことができない精算機を導入することは困難である。
【００１５】
本発明は例えば上述したような問題に鑑みなされたものであり、本発明の第１の課題は、二次元コードについてのベリファイ処理を迅速に行うことで、品質の高い駐車券等のカード状記録媒体を素早く発行、または再発行することができるカード状記録媒体処理装置を提供することにある。
【００１６】
また、本発明の第２の課題は、駐車券等のカード状記録媒体が上下反対方向に挿入された場合でも、カード状記録媒体上の二次元コードを素早く確実に認識することができるカード状記録媒体処理装置を提供することにある。
【００１７】
また、本発明の第３の課題は、二次元コードを用いたカード状記録媒体だけでなく、磁気ストライプ式のカード状記録媒体をも取り扱うことができるカード状記録媒体処理装置を提供することにある。
【課題を解決するための手段】
【００１８】
上記課題を解決するために、本発明の第１のカード状記録媒体処理装置は、カード状記録媒体を搬送する搬送路と、前記搬送路の一端側に形成され、前記カード状記録媒体を前記搬送路から外部へ排出しまたは外部から前記搬送路へ引き込む排出引込口と、前記搬送路上において前記カード状記録媒体を移動させる搬送機構と、前記搬送機構を制御し、前記搬送路上における前記カード状記録媒体の移動開始、移動停止、移動速度および移動方向を制御する搬送制御部と、前記搬送路の途中に設けられ、当該搬送路の長さ方向と交わる方向に伸長する線分単位で前記カード状記録媒体に情報を記録するサーマルヘッドと、前記サーマルヘッドを制御し、前記カード状記録媒体に二次元コードを記録する二次元コード記録部と、前記搬送路の途中であって前記サーマルヘッドと前記排出引込口との間に設けられ、前記カード状記録媒体に記録された情報を、当該搬送路の長さ方向と交わる方向に伸長する線分単位で読み取るラインセンサと、前記排出引込口から前記搬送路に引き込まれた前記カード状記録媒体に記録された識別マークを前記ラインセンサで読み取ることにより、当該カード状記録媒体の上下方向の向きを判断し、当該カード状記録媒体の上下方向の向きが一の方向であるかその反対方向であるかに応じて異なる位置設定基準値を設定する向き判断部と、前記サーマルヘッドにより前記カード状記録媒体に記録された二次元コードを前記ラインセンサにより読み取り、当該読み取った二次元コードについてベリファイ処理を行うベリファイ処理部とを備え、前記搬送路の他端側に位置する前記カード状記録媒体を当該搬送路の一端側に向けて移動させ、前記サーマルヘッドによる前記二次元コードの前記カード状記録媒体への記録を開始する位置へ停止させ、その後、当該カード状記録媒体を当該搬送路の一端側に向けて移動させつつ、当該カード状記録媒体に前記二次元コードを前記サーマルヘッドにより記録し、その後、当該カード状記録媒体に記録された前記二次元コードを前記ラインセンサにより読み取って前記ベリファイ処理を行い、その後、前記カード状記録媒体を前記排出引込口から排出する間において、前記搬送制御部は、当該カード状記録媒体に前記二次元コードを前記サーマルヘッドにより記録している期間は当該カード状記録媒体を前記搬送路の他端側から一端側に向けて第１の速度で移動させ、前記カード状記録媒体に記録された前記二次元コードを前記ラインセンサにより読み取っている期間は当該カード状記録媒体を前記搬送路の他端側から一端側に向けて前記第１の速度または前記第１の速度よりも速い第２の速度で移動させ、前記サーマルヘッドによる前記カード状記録媒体に対する前記二次元コードの記録期間および前記ラインセンサによる前記カード状記録媒体に対する前記二次元コードの読取期間において前記カード状記録媒体の移動を停止させないこととし、前記搬送制御部は、前記サーマルヘッドによる前記二次元コードの前記カード状記録媒体への記録を開始する位置を、前記向き判断部により設定された位置設定基準値に基づいて定めることを特徴とする。
【００１９】
本発明の第１のカード状記録媒体処理装置によれば、カード状記録媒体に記録された二次元コードのベリファイ処理を行うことにより、二次元コードの記録が不良であるカード状記録媒体が発行または再発行されるのを防止することができる。さらに、ベリファイ処理を行うための二次元コードの読取を、カード状記録媒体を停止させずに行う。しかも、この読取の際のカード状記録媒体の移動速度は、サーマルヘッドにより二次元コードをカード状記録媒体に記録するときのカード状記録媒体の移動速度と同じか当該移動速度よりも速い。このように、本発明の第１のカード状記録媒体処理装置によれば、品質の高いカード状記録媒体の発行または再発行を迅速に行うことができる。また、本発明の第１のカード状記録媒体処理装置によれば、外部から排出引込口を介して搬送路に引き込まれたカード状記録媒体の上下方向の向きを認識することで、カード状記録媒体に記録された二次元コードの位置を迅速にかつ高精度に特定することが可能になると共に、カード状記録媒体において二次元コードを記録する位置を迅速にかつ高精度に特定することが可能になる。また、カード状記録媒体の上下方向の向きを、カード状記録媒体に記録された識別マークに基づいて判断することで、カード状記録媒体の向きの判断を容易にかつ高精度に行うことができる。
【００２０】
上記課題を解決するために、本発明の第２のカード状記録媒体処理装置は、上述した本発明の第１のカード状記録媒体処理装置において、前記搬送制御部は、前記カード状記録媒体に前記二次元コードを前記サーマルヘッドにより記録している期間は前記カード状記録媒体を前記搬送路の他端側から一端側に向けて前記第１の速度で移動させ、前記二次元コードの前記カード状記録媒体への前記サーマルヘッドによる記録が終了してから前記カード状記録媒体に記録された前記二次元コードの前記ラインセンサによる読取が開始されるまでの期間は前記カード状記録媒体を前記搬送路の他端側から一端側に向けて前記第２の速度よりも速い第３の速度で移動させ、前記カード状記録媒体に記録された前記二次元コードを前記ラインセンサにより読み取っている期間は前記カード状記録媒体を前記搬送路の他端側から一端側に向けて前記第２の速度で移動させることを特徴とする。
【００２１】
本発明の第２のカード状記録媒体処理装置によれば、カード状記録媒体に記録された二次元コードを読み取る間におけるカード状記録媒体の移動速度を、二次元コードをカード状記録媒体へ記録する間におけるカード状記録媒体の移動速度よりも速くし、かつ、二次元コードのカード状記録媒体への記録が終了してからカード状記録媒体に記録された二次元コードの読取が開始されるまでの間におけるカード状記録媒体の移動速度を、カード状記録媒体に記録された二次元コードを読み取る間におけるカード状記録媒体の移動速度よりも速くすることにより、カード状記録媒体の発行にかかる時間を短縮することができる。
【００２２】
上記課題を解決するために、本発明の第３のカード状記録媒体処理装置は、上述した本発明の第１のカード状記録媒体処理装置において、前記ベリファイ処理部による前記ベリファイ処理の結果、前記二次元コードの前記カード状記録媒体への記録が正常に行われなかったことが認識された場合には、前記搬送制御部は、当該カード状記録媒体を前記搬送路の一端側から他端側へ向けて前記第２の速度よりも速い第３の速度で移動させることを特徴とする。
【００２３】
本発明の第３のカード状記録媒体処理装置によれば、二次元コードのカード状記録媒体への記録が正常に行われなかった場合に、例えば、当該カード状記録媒体をサーマルヘッドの下方に第３の速度で移動させ、当該カード状記録媒体への二次元コードの再記録を行うことができる。
【００２４】
上記課題を解決するために、本発明の第４のカード状記録媒体処理装置は、本発明の第１ないし第３のいずれかのカード状記録媒体処理装置において、前記サーマルヘッドと前記ラインセンサとの間に設けられ、前記搬送路上を移動する磁気ストライプ式のカード状記録媒体に形成された磁気ストライプ部に対して情報の読取または記録を行う磁気ヘッドを備えていることを特徴とする。
【００２５】
本発明の第４のカード状記録媒体装置によれば、磁気ヘッドにより、磁気ストライプ式のカード状記録媒体に対する情報の読取または記録を行うことができるので、従来から広く使用されている磁気ストライプ式のカード状記録媒体を取り扱うことができる。これにより、例えば、駐車券には磁気ストライプ式ではないカード状記録媒体を採用し、駐車場利用に関する情報を二次元コードで駐車券に記録する方法を採ることで、ランニングコストを削減することができる一方で、定期券、回数券、サービス券、割引券等には磁気ストライプ式のカード状記録媒体を採用し、これらの券に対する情報の読取または記録を磁気により行う方法を採ることで、すでに広く普及している既存の券の利用を維持することができ、既存の環境に容易に適応可能な精算機等を実現することができる。なお、磁気ストライプ式に限らず、裏面磁気印刷のカード状記録媒体であっても磁気ヘッドの配置方向を裏面側にすれば同様に利用可能となる。
【００２６】
上記課題を解決するために、本発明の第５のカード状記録媒体処理装置は、本発明の第４のカード状記録媒体処理装置において、前記排出引込口から前記搬送路に引き込まれた前記カード状記録媒体の所定の領域を前記ラインセンサにより読み取り、当該カード状記録媒体が前記磁気ストライプ式のカード状記録媒体か否かを判断する種別判断部と、前記搬送制御部は、前記種別判断部の判断結果に基づき、前記排出引込口から前記搬送路に引き込まれた前記カード状記録媒体が磁気ストライプ式のカード状記録媒体である場合と磁気ストライプ式のカード状記録媒体でない場合とで、前記搬送路上において当該カード状記録媒体を前記搬送路の一端側から他端側に向けて移動させる速度を異ならせることを特徴とする。
【００２７】
本発明の第５のカード状記録媒体処理装置によれば、磁気ストライプ式のカード状記録媒体のように磁気ヘッドにより情報の読取または記録を比較的高速に行うことができるカード状記録媒体は、搬送路上を高速に移動させ、一方、磁気ストライプ式ではなく、カード状記録媒体に対して二次元コードの読取または記録を行う必要があるカード状記録媒体は、搬送路上を、二次元コードの読取または記録を適切に行うことが可能な速度であって、できる限り速い速度（実際には磁気ストライプ式のカード状記録媒体の移動速度よりも遅い速度）で移動させることができる。これにより、カード状記録媒体の種別に応じて情報の適切な読取または記録を確保しつつ、カード状記録媒体の処理速度を速くすることができる。
【発明の効果】
【００２８】
本発明によれば、二次元コードについてのベリファイ処理を迅速に行うことで、品質の高いカード状記録媒体を素早く発行、または再発行することができる。また、カード状記録媒体が上下反対方向に挿入された場合でも、カード状記録媒体上の二次元コードを素早く確実に認識することができる。また、二次元コードを用いたカード状記録媒体だけでなく、磁気ストライプ式のカード状記録媒体をも取り扱うことができる。
【図面の簡単な説明】
【００２９】
【図１】本発明の実施形態による第１および第２の駐車券処理装置において用いられる駐車券を示す説明図である。
【図２】本発明の実施形態による第１および第２の駐車券処理装置において用いられる駐車券を示す説明図である。
【図３】本発明の実施形態による第１および第２の駐車券処理装置において用いられる磁気ストライプカードを示す説明図である。
【図４】本発明の実施形態による第１および第２の駐車券処理装置において用いられる駐車券の識別マークと磁気ストライプカードの磁気ストライプ部との位置関係を示す説明図である。
【図５】駐車券発行機に設けられた本発明の実施形態による第１の駐車券処理装置および事前精算機に設けられた本発明の実施形態による第２の駐車券処理装置を示す説明図である。
【図６】本発明の実施形態による第１の駐車券処理装置を示す説明図である。
【図７】本発明の実施形態による第２の駐車券処理装置を示す説明図である。
【図８】本発明の実施形態による第１または第２の駐車券処理装置の電気的構成を示すブロック図である。
【図９】本発明の実施形態の第１の駐車券処理装置による駐車券発行時の駐車券処理を示す説明図である。
【図１０】本発明の実施形態の第１の駐車券処理装置による駐車券発行時の駐車券処理（駐車券供給処理）を示す説明図である。
【図１１】本発明の実施形態の第１の駐車券処理装置による駐車券発行時の駐車券処理（印刷不良時の廃券処理）を示す説明図である。
【図１２】本発明の実施形態の第２の駐車券処理装置による精算時の駐車券処理を示す説明図である。
【図１３】本発明の実施形態の第２の駐車券処理装置による精算時の駐車券処理（駐車券の向きが反対である場合）を示す説明図である。
【図１４】本発明の実施形態の第１の駐車券処理装置による駐車券発行時の駐車券処理を示すフローチャートである。
【図１５】本発明の実施形態の第２の駐車券処理装置による精算時の駐車券処理を示すフローチャートである。
【発明を実施するための形態】
【００３０】
以下、図面を参照しつつ、本発明の実施形態として、駐車券発行機に設けられた第１の駐車券処理装置および精算機に設けられた第２の駐車券処理装置に本発明のカード状記録媒体処理装置をそれぞれ適用した場合を例にあげて説明する。まず、本発明の実施形態による第１の駐車券処理装置および第２の駐車券処理装置がそれぞれ設けられた駐車券発行機および事前精算機、並びにこれら駐車券発行機および事前精算機が設置された駐車場等について概説する。
【００３１】
駐車場の入場レーンには駐車券発行機が設けられ、駐車場内には事前精算機が設けられている。また、駐車場の出場レーンには駐車券読取機が設けられている。利用者が駐車場に入場したとき、駐車券発行機は駐車券を発行し、利用者はその駐車券を受け取る。利用者が駐車場から出場する前、利用者は駐車券を事前精算機の券挿入口に挿入する。続いて、事前精算機は、その駐車券に基づいて駐車料金の精算を行い、その後、その駐車券を券挿入口から利用者に返却する。そして、利用者はその駐車券を受け取る。その後、利用者は駐車券を駐車券読取機の券挿入口に挿入し、出場する。
【００３２】
本発明の実施形態による第１の駐車券処理装置は駐車券発行機内に設けられている。また、本発明の実施形態による第２の駐車券処理装置は事前精算機内に設けられている。第１の駐車券処理装置の構成と第２の駐車券処理装置の構成とは、前者が駐車券発行に関する処理を行い、後者が駐車券を用いた精算に関する処理を行うことから、互いに相違する部分があるものの、基本的な部分は互いに共通している。なお、駐車場によっては、事前精算機に加えまたはこれに代えて出口精算機が設置されている場合がある。本発明のカード状記録媒体処理装置は出口精算機にも適用することができる。
【００３３】
また、本実施形態において、駐車券には、発行時または精算時等に必要な情報が印字文字および二次元コードとして印刷される。また、精算時に利用者は定期券、回数券、サービス券等を用いることができ、定期券、回数券、サービス券等には磁気ストライプ部を有する磁気ストライプカードが用いられ、必要な情報は磁気ストライプ部に磁気的に記録される。そして、本発明の実施形態による第１の駐車券処理装置および第２の駐車券処理装置はそれぞれ、駐車券に対して印字文字および二次元コードの印刷、ベリファイおよび読取を行う機能と、磁気ストライプカードに対して情報の読取および記録を行う機能との双方を備えている。
【００３４】
本発明の実施形態による第１の駐車券処理装置または第２の駐車券処理装置によれば、情報を印字文字および二次元コードとして印刷するタイプの駐車券を用いることにより、磁気ストライプ式の駐車券を用いるよりもランニングコストを減らすことができ、その一方で、磁気ストライプ式の定期券、回数券、サービス券等をも使用可能とすることで、すでに普及しているこれら磁気ストライプカードの使用の継続を可能にし、利便性を高めることができる。また、回数券のように繰り返し使用される性質を有するカードの場合には、情報の書き換えを容易に何度も行うことができる磁気ストライプカードが望ましい。したがって、本実施形態による駐車券処理装置によれば、回数券のような繰り返し使用される性質を有する券ないしカードの使用を維持し、または促進することができる。
【００３５】
（駐車券）
図１および図２はカード状記録媒体としての駐車券を示している。ここで、駐車券１において、事前精算機の券挿入口または駐車券読取機の券挿入口に挿入する側を上側とし、その反対側を下側とする。さらに、図１（１）に示すように、駐車券１の上側を上に向けて駐車券１の表面を見たときに左に向く側を左側とし、右に向く側を右側とする。
【００３６】
図１（１）は発行前の駐車券１を示している。図１（１）に示すように、発行前において、駐車券１は一対の連結部４を介して他の駐車券とファンフォールド状に連結されている。また、駐車券１と他の駐車券との間には離間部５が形成されている。駐車券１は例えば表面に感熱発色機能を付した感熱紙である。駐車券１の表面には、普通のインキを用いた普通印刷により、駐車券であることを示す文字列６、事前精算機等への挿入方向を示す矢印記号７、および２つの識別マーク８、９が予め印刷されている。
【００３７】
２つの識別マーク８、９のうち、一方の識別マーク８は、駐車券１の表面において、左上側の隅部に配置されている。識別マーク８は、四角形状のマーク片を左右方向に所定の間隔を持たせて２つ並べて配置することにより形成されている。他方の識別マーク９は、駐車券１の表面において、右下側の隅部に配置されている。識別マーク９は、識別マーク８を構成するマーク片と同一のマーク片を１つ配置することにより形成されている。また、駐車券１の表面において、識別マーク８と識別マーク９とは互いに点対称となるように配置されている。すなわち、図１（１）に示すように駐車券１の上側が上に向いた状態における識別マーク８の位置と、この状態から駐車券１の上下を反対にした状態（駐車券１の下側が上に向いた状態）における識別マーク９の位置とが一致する。また、識別マーク８、９の検出精度を高める等の目的から、各識別マーク８、９の周囲には十分な余白が形成されている。なお、駐車券１の裏面には、少なくとも識別マーク８、９に類似したマークを印刷されていない。
【００３８】
図１（２）は発行直後の駐車券１を示している。図１（２）に示すように、駐車券１は発行時に他の駐車券と切り離される。駐車券１の表面において、識別マーク８および矢印記号７が配置された領域の下側には、文字記録領域１１が形成されている。文字記録領域１１には、発行時、精算時、精算中止時または再精算時等に印字文字が印刷される。印字文字は視認判読可能な文字である。また、駐車券１の表面において、文字記録領域１１の下側には、二次元コード記録領域１２が形成されている。二次元コード記録領域１２には、発行時、精算時、精算中止時または再精算時等に二次元コードが印刷される。本実施形態において二次元コードは例えばＱＲコード（登録商標）である。二次元コード記録領域１２に印刷する二次元コードとして、他の方式の二次元コードを用いることもできる。
【００３９】
発行時において、文字記録領域１１には入場情報が印字文字１３Ａとして印刷される。また、発行時において、二次元コード記録領域１２には入場情報が二次元コード１４Ａとして印刷される。入場情報には例えば入場日時が含まれている。また、発行時のように、印字文字および二次元コードが駐車券１に初めて印刷される場合、印字文字は文字記録領域１１内の最上の行に印刷され、二次元コードは二次元コード記録領域１２内の左上側に印刷される。
【００４０】
図１（３）は精算直後の駐車券１を示している。図１（３）に示すように、精算時において、文字記録領域１１には精算情報が印字文字１３Ｂとして印刷される。また、精算時において、二次元コード記録領域１２には精算情報が二次元コード１４Ｂとして印刷される。精算情報には例えば精算日時、精算金額、支払い金額、残額、精算完了ステータスの有無等が含まれている。また、精算時のように、印刷文字および二次元コードがすでに印刷されている駐車券１に、新たな印字文字および二次元コードが追加して印刷される場合、文字記録領域１１内においてすでに印刷文字が印刷されている行の次の行に新たな印刷文字が印刷され、また、二次元コード記録領域１２内においてすでに印刷された二次元コードの右隣に新たな二次元コードが印刷される。
【００４１】
また、図２（１）に示すように、精算中止時の情報を示す印字文字１３Ｃおよび二次元コード１４Ｃ、並びに再精算時の情報を示す印字文字１３Ｄおよび二次元コード１４Ｄが、駐車券１の文字記録領域１１および二次元コード記録領域１２にそれぞれ印刷される場合もある。さらに、図（２）に示すように、駐車券１の二次元コード記録領域１２には、例えば買い物割引情報等を二次元コード１４Ｅとして印刷することができる。
【００４２】
（磁気ストライプカード）
図３は磁気ストライプ式のカード状記録媒体としての磁気ストライプカードを示している。磁気ストライプカードについても、駐車券１と同様に、事前精算機の券挿入口に挿入する側を上側とし、その反対側を下側とし、磁気ストライプカードの上側を上に向けて当該カードの表面を見たときに左に向く側を左側とし、右に向く側を右側とする。
【００４３】
図３（１）は磁気ストライプ式の定期券を示している。図３（１）に示すように、磁気ストライプ式定期券１６の表面にはその左側に磁気ストライプ部１８が予め印刷されている。また、磁気ストライプ式定期券１６の表面には、いくつかの文字列１９および矢印記号２０等が普通印刷により予め印刷されている。磁気ストライプ部１８を磁気ヘッドがトレースすることで、磁気ストライプ部１８に磁気的に記録された情報を読み取ることができ、また、磁気ストライプ部１８に情報を磁気的に記録することができる。また、磁気ストライプ部１８に記録された情報を何度も書き換えることができる。また、磁気ストライプ式定期券１６の磁気ストライプ部１８にはＩＤ情報および有効期限情報に加え、入場中か出場中かを示すステータス情報が記録される。すなわち、駐車場入場時には、当該ステータス情報が「入場中」に書き換えられ、駐車場出場時には、当該ステータス情報が「出場中」に書き換えられる。これにより不正な定期券の使いまわしが防止される仕組みになっている。また、磁気ストライプ式定期券１６は、有効期間中、繰り返し使用される。
【００４４】
図３（２）は磁気ストライプ式の回数券を示している。図３（２）に示すように、磁気ストライプ式回数券１７の表面には、磁気ストライプ式定期券１６と同様に、磁気ストライプ部１８およびいくつかの文字１９や矢印記号２０が予め印刷されている。また、磁気ストライプ式回数券１７の磁気ストライプ部１８には、使用可能回数を示す管理情報が記録され、磁気ストライプ式回数券を使用するごとに、使用可能回数を減算するように管理情報が書き換えられる。磁気ストライプ式回数券は、使用可能回数が０になるまで繰り返し使用される。
【００４５】
また、定期券および回数券以外の磁気ストライプカードも存在する。例えばプリペイド式のサービス券は、磁気ストライプ部に使用可能金額を示す管理情報が記録され、このサービス券を使用するごとに、使用可能金額を減らすように管理情報が書き換えられる。このサービス券は使用可能金額が不足になるまで繰り返し使用することができ、使用可能金額がなくなったときに精算機に回収される。さらに、サービス券として、１時間無料、２時間無料等、予め決まった条件を示す管理情報が磁気ストライプ部に記録されており、１回使用したら直ちに精算機に回収されるタイプのものもある。
【００４６】
図４は駐車券１に印刷された識別マーク８、９と、上述した磁気ストライプカードに印刷された磁気ストライプ部１８との位置関係を示している。図４（１）に示すように、駐車券１と磁気ストライプカードとを互いに表裏および上下左右を揃えて重ね合わせた場合、駐車券１に印刷された識別マーク９が、磁気ストライプカードに印刷された磁気ストライプ部１８と重なり合う。また、図４（１）の状態から、駐車券１だけを上下反対にした場合、図４（２）に示すように、駐車券１に印刷された識別マーク８が、磁気ストライプカードに印刷された磁気ストライプ部１８と重なり合う。
【００４７】
（駐車券処理装置）
図５（１）は、第１の駐車券処理装置２１が設けられた駐車券発行機１０１を示し、図５（２）は、第２の駐車券処理装置２２が設けられた事前精算機２０１を示す。図５（１）に示すように、第１の駐車券処理装置２１は、駐車券発行機１０１の筐体内に収容されており、当該筐体内に設けられた支持台１０２の上に固定されている。また、第１の駐車券処理装置２１の搬送路３１の一端側に形成された排出引込口３２が、駐車券発行機１０１の前側面に設けられた券発行口１０３に接続されている。また、図５（２）に示すように、第２の駐車券処理装置２２は、事前精算機２０１の筐体内に収容されており、当該筐体内に設けられた支持台２０２の上に固定されている。また、第２の駐車券処理装置２２の搬送路３１の一端側に形成された排出引込口３２が、事前精算機２０１の前側面に設けられた券挿入口２０３に接続されている。
【００４８】
図６は、駐車券発行機１０１に設けられた第１の駐車券処理装置２１の機構的構成を示している。図６に示すように、第１の駐車券処理装置２１は、駐車券１を搬送する搬送路３１を備えている。搬送路３１は駐車券発行機１０１内を水平方向に伸びている。また、搬送路３１の一端部には排出引込口３２が形成され、排出引込口３２は、駐車券発行機１０１の前側面に設けられた券発行口１０３に接続されている。これにより、搬送路３１は、排出引込口３２および券発行口１０３を介して駐車券発行機１０１の外部と通じている。
【００４９】
また、第１の駐車券処理装置２１の排出引込口３２に近い搬送路３１の一端側において、搬送路３１の下側には第１の搬送ローラ３３が設けられ、搬送路３１の上側には第１の搬送ローラ３３と対向するように搬送プーリ３４が設けられている。また、搬送路３１の下側であって第１の搬送ローラ３３の他側には、第１の搬送ローラ３３と所定の間隔をおいて第２の搬送ローラ３５が設けられている。また、搬送路３１の下側であって第２の搬送ローラ３５の他側には、第２の搬送ローラ３５と所定の間隔をおいて第３の搬送ローラ３７が設けられ。搬送路３１の上側には第３の搬送ローラ３７と対向するように搬送プーリ３８が設けられている。さらに、駐車券発行機１０１の内部奥側に位置する搬送路３１の他端側において、搬送路３１の下側には第４の搬送ローラ３９が設けられ、搬送路３１の上側には第４の搬送ローラ３９と対向するように搬送プーリ４０が設けられている。
【００５０】
また、第１ないし第４の搬送ローラ３３、３５、３７、３９のそれぞれの内周側にはベルトプーリ４１が形成され、各ベルトプーリ４１には無端の搬送ベルト４２が掛けられている。さらに、搬送路３１の一端側にであって搬送路３１の下側には搬送モータ４３が設けられている。第１の搬送ローラ３３の内周側にはギアが形成されており、このギアが、搬送モータ４３の出力軸に固定されたピニオンギアと噛み合っている。これにより、搬送モータ４３を駆動すると第１の搬送ローラ３３が回転し、それに伴って搬送ベルト４２が移動し、搬送ベルト４２の移動に伴って第２ないし第４の搬送ローラ３５、３７、３９がそれぞれ回転する。そして、第１ないし第４の搬送ローラ３３、３５、３７、３９の回転により、駐車券１等を搬送路３１上において移動させることができる。また、搬送モータ４３の出力軸の回転方向を変更することにより、搬送ベルト４２の移動方向および第１ないし第４の搬送ローラ３３、３５、３７、３９の回転方向を変えることができ、これにより、搬送路３１上における駐車券１等の移動方向を変えることができる。ここで、搬送路３１上の駐車券１等の移動方向について、搬送路３１の他端側から一端側に向かう方向、すなわち、駐車券発行機１０１の奥側から前面側に向かう方向を「排出方向」といい、搬送路３１の一端側から他端側に向かう方向、すなわち、駐車券発行機１０１の前面側から奥側に向かう方向を「引込方向」という。また、搬送モータ４３の近傍には、搬送モータ４３の回転位相を検出するパルスセンサ７８（図８参照）が設けられている。なお、第１ないし第４の搬送ローラ３３、３５、３７、３９、搬送プーリ３４、３８、４０、ベルトプーリ４１、搬送ベルト４２および搬送モータ４３が搬送機構の具体例である。
【００５１】
また、第１の駐車券処理装置２１において、搬送路３１の上側であって第２の搬送ローラ３５と第３の搬送ローラ３７との間に対応する位置にはサーマルヘッド４４が設けられ、搬送路３１の下側であってサーマルヘッド４４と対応する位置にはプラテンローラ４５が設けられている。サーマルヘッド４４は、駐車券１に印字文字および二次元コードを印刷する装置である。サーマルヘッド４４は、感熱紙を加熱して印刷を行うための多数の発熱素子を有し、これら発熱素子は、サーマルヘッド４４の先端部（図６では下端部）において、水平方向であって、かつ搬送路３１の伸長方向に直交する方向、すなわち搬送路３１の幅方向に配列されている。また、サーマルヘッド４４は上下方向に移動することができる。駐車券１に印字文字および二次元コードを印刷するときには、サーマルヘッド４４が下降し、サーマルヘッド４４の先端部が駐車券１の表面に接触する。このとき、サーマルヘッド４４の先端部とプラテンローラ４５との間に駐車券１が適切な押圧力をもって支持されることで、サーマルヘッド４４の先端部の駐車券１の表面への確実な接触が維持される。第２または第３の搬送ローラ３５、３７等の回転による駐車券１の移動に伴ってプラテンローラ４５が回転するので、サーマルヘッド４４の先端部が駐車券１の表面に接触している間であっても駐車券１は移動することができる。一方、駐車券１に対する印刷を行わないときには、サーマルヘッド４４は上昇し、搬送路３１から離れた位置で待機している。
【００５２】
また、第１の駐車券処理装置２１において、搬送路３１の上側であって第１の搬送ローラ３３と第２の搬送ローラ３５との間に対応する位置にはラインセンサ４６が設けられている。ラインセンサ４６は、駐車券１に印刷された二次元コードのベリファイおよび読取、並びに識別マーク８、９の読取等を行う装置である。ラインセンサ４６は多数の撮像素子を有し、これら撮像素子は、ラインセンサ４６の先端部（図６では下端部）において、水平方向であって、かつ搬送路３１の伸長方向に直交する方向、すなわち搬送路３１の幅方向に配列されている。
【００５３】
また、第１の駐車券処理装置２１において、搬送路３１の上側であって第２の搬送ローラ３５と対応する位置には磁気ヘッド４７が設けられている。磁気ヘッド４７は、磁気ストライプカードの磁気ストライプ部１８に対して情報の読取または記録を行う装置である。
【００５４】
また、第１の駐車券処理装置２１には、搬送路３１上における駐車券１等の位置を検出する第１の光センサ５１、第２の光センサ５２、第３の光センサ５３が搬送路３１に沿って設けられている。第１ないし第３の光センサ５１、５２、５３は、いずれも、例えば搬送路３１を上下方向に挟んで対向する発光素子と受光素子とを備えている。例えば、第１の光センサ５１において、発光素子から発せられ受光素子に受光されるはずの光が、搬送路３１上を移動する駐車券１により遮られたことを検出することにより、第１の光センサ５１が配置されている位置に駐車券１が到達したことを認識することができる。
【００５５】
第１の光センサ５１は、搬送路３１の一端側に配置され、駐車券１等が排出引込口３２から外部へ排出されたこと、または駐車券１等が外部から排出引込口３２に挿入されたことを検出する。また、第２の光センサ５２は、第３の搬送ローラ３７の近傍に配置され、駐車券供給装置５５から搬送路３１に駐車券１が供給されたこと、または駐車券１がサーマルヘッド４４に接近したことを検出する。また、第３の光センサ５３は、搬送路３１の他端側に配置され、駐車券１等が搬送路３１の他端側に到達したことを検出する。なお、駐車券１等を廃券処理するとき、または、駐車券１等を搬送路３１の他端側で一旦待機させ、これにより解放された搬送路３１において別のカードに対して情報の読取や記録を行うとき、駐車券１等が搬送路３１の他端側に搬送される。
【００５６】
また、第１の駐車券処理装置２１の搬送路３１において、第３の搬送ローラ３７と第４の搬送ローラ３９との間の所定の位置には、分岐搬送路５４が接続されている。分岐搬送路５４は搬送路３１から下方に伸び、その下端側は駐車券供給装置５５に接続されている。駐車券供給装置５５は、駐車券１の発行に備えて駐車券１を搬送路３１に供給する装置である。駐車券供給装置５５は、ファンフォールド状に連結された発行前の複数枚の駐車券（図１（１）参照）が収容されたファンフォールド駐車券収容部５６（図５（１）参照）と、ファンフォールド駐車券収容部５６から駐車券を分岐搬送路５４に沿って引き上げるフィードローラ５７と、フィードローラ５７と共に駐車券を支持するフィードプーリ５８と、フィードローラ５７を回転させる動力源であるフィードモータ７９（図８参照）と、フィードモータ７９の動力をフィードローラ５７に伝達するフィードベルト５９と、これから発行する１枚の駐車券をファンフォールド状に連結された他の駐車券と切り離すカッタ６０と、これから発行する１枚の駐車券とこれに連結された他の駐車券との位置を、両者間に形成された離間部５に基づいて検出する第４の光センサ６１と、フィードモータ７９およびフィードローラ５７の回転位相を検出するパルスセンサ８１（図８参照）とを備えている。
【００５７】
図７は、事前精算機２０１に設けられた第２の駐車券処理装置２２の機構的構成を示している。第２の駐車券処理装置２２の機構的構成は、搬送路３１の途中に分岐ガイド６２を有している点、および駐車券供給装置５５に代えて券回収ボックス６３を有している点を除き、第１の駐車券処理装置２１の機構的構成と同じである。すなわち、第２の駐車券処理装置２２において、搬送路３１と分岐搬送路５４とが接続している部分には分岐ガイド６２が設けられている。分岐ガイド６２は、搬送路３１を引込方向に搬送された券を、搬送路３１の他端側にそのまま搬送するか、それとも分岐搬送路５４に導くかを切り換える装置である。券回収ボックス６３は、分岐搬送路５４に導かれた券（廃券）を回収する箱であり、券回収ボックス６３には分岐搬送路５４の下端側が接続されている。
【００５８】
図８は第１の駐車券処理装置２１または第２の駐車券処理装置２２の電気的構成を示している。図８において、破線で囲った構成要素は第１の駐車券処理装置２１にあって第２の駐車券処理装置２２にはない構成要素であり、二点鎖線で囲った構成要素は第２の駐車券処理装置２２にあって第１の駐車券処理装置２１にはない構成要素である。
【００５９】
図８に示すように、第１の駐車券処理装置２１および第２の駐車券処理装置２２はいずれも、ＣＰＵ（中央演算処理装置）７１およびメモリ７２を備え、これらはバス７３を介して相互に接続されている。さらにバス７３にはインターフェイス７４が接続されている。そして、インターフェイス７４には、搬送モータ４３と、サーマルヘッド４４の上下方向の移動を制御するサーマルヘッド駆動ソレノイド７５と、サーマルヘッド４４の印刷動作を制御するサーマルヘッド制御回路７６と、磁気ヘッド４７の読取・記録動作を制御する磁気ヘッド制御回路７７と、第１の光センサ５１と、第２の光センサ５２と、第３の光センサ５３と、ラインセンサ４６と、搬送モータ４３の回転位相を検出するパルスセンサ７８とが接続されている。また、第１の駐車券処理装置２１において、インターフェイス７４には、駐車券供給装置５５のフィードモータ７９と、カッタ６０を制御するカッタソレノイド８０と、第４の光センサ６１と、フィードモータ７９の回転位相を検出するパルスセンサ８１とが接続されている。また、第２の駐車券処理装置２２において、インターフェイス７４には、分岐ガイド６２の切換動作を制御する分岐ガイド駆動ソレノイド８２が接続されている。
【００６０】
また、第１の駐車券処理装置２１において、メモリ７２には、第１の駐車券処理装置２１により駐車券発行時における駐車券処理を行うためのプログラムが記憶されており、ＣＰＵ７１は、このプログラムをメモリから読み出して実行することにより、インターフェイス７４に接続された各装置を制御して駐車券発行時における駐車券処理を行う。一方、第２の駐車券処理装置２２において、メモリ７２には、第２の駐車券処理装置２２により精算時における駐車券処理を行うためのプログラムが記憶されており、ＣＰＵ７１は、このプログラムをメモリから読み出して実行することにより、インターフェイス７４に接続された各装置を制御して精算時における駐車券処理を行う。また、第１の駐車券処理装置２１のＣＰＵ７１は駐車券発行機１０１のＣＰＵ（図示せず）と電気的に接続されており、これにより、駐車券発行機１０１における駐車券発行処理と第１の駐車券処理装置２１における駐車券処理との連携が図られる。また、第２の駐車券処理装置２１のＣＰＵ７１は事前精算機２０１のＣＰＵ（図示せず）と電気的に接続されており、これにより、事前精算機２０１における精算処理と第２の駐車券処理装置２２における駐車券処理との連携が図られる。なお、駐車券発行時における駐車券処理または精算時における駐車券処理を行うＣＰＵ７１が、搬送制御部、二次元コード記録部、ベリファイ処理部、向き判断部および種別判断部の具体例である。
【００６１】
（駐車券発行時における駐車券処理）
図９、図１０、図１１および図１４は、駐車券発行機１０１に設けられた第１の駐車券処理装置２１による駐車券発行時における駐車券処理を示している。図９に示すように、第１の駐車券処理装置２１において、駐車券１の発行準備が完了した状態では、駐車券１は、図９中の（１）に示す発行準備位置において停止している。すなわち、駐車券１の上端部がサーマルヘッド４４の下方に位置し、下端部が分岐搬送路５４に位置している。このとき、搬送モータ４３は停止しており、サーマルヘッド４４は上方向に移動して駐車券１から離れている。また、このとき、駐車券供給装置５５において、次に発行予定の駐車券２が供給準備位置に停止している。すなわち、次に発行予定の駐車券２の上端部が分岐搬送路５４の直前に位置している。
【００６２】
この状態において、例えば、利用者が駐車券発行機１０１の駐車券発行釦（図示せず）を押したとき、これに応じ、第１の駐車券処理装置２１のＣＰＵ７１は、サーマルヘッド駆動ソレノイド７５を制御し、サーマルヘッド駆動ソレノイド７５を吸引状態にする。これにより、サーマルヘッド４４が下降する（図１４中のステップＳ１）。この結果、サーマルヘッド４４の先端部が駐車券１の表面に接触し、適切な力で駐車券１の表面を押圧する。続いて、ＣＰＵ７１は、搬送モータ４３を駆動させ、搬送モータ４３を一の方向に低速で回転させる（ステップＳ２）。これにより、駐車券１は搬送路３１を排出方向に低速で移動し始める。駐車券１が低速で移動している間、ＣＰＵ７１は、パルスセンサ７８から出力されるパルスをカウントすることで駐車券１の移動量を認識する。駐車券１が排出方向に低速で移動し、駐車券１の文字記録領域１１内の所定の位置とサーマルヘッド４４の先端部の位置とが一致したとき、ＣＰＵ７１は、サーマルヘッド制御回路７６を制御し、駐車券１に印刷すべき印字文字に応じてサーマルヘッド４４の発熱素子を発熱させる。これにより駐車券１の表面が加熱され、駐車券１の文字記録領域１１内の所定の位置に印字文字が印刷される（ステップＳ３）。印字文字の印刷が終わり、駐車券１が排出方向に低速で移動し、駐車券１の二次元コード記録領域１２内の所定の位置とサーマルヘッド４４の先端部の位置とが一致したとき、ＣＰＵ７１は、サーマルヘッド制御回路７６を制御し、駐車券１に印刷すべき二次元コードに応じてサーマルヘッド４４の発熱素子を発熱させ、駐車券１の二次元コード記録領域１２内の所定の位置に二次元コードを印刷する（ステップＳ４）。二次元コードの印刷が終わったとき、ＣＰＵ７１は、サーマルヘッド駆動ソレノイド７５を制御し、サーマルヘッド駆動ソレノイド７５を解放状態にする。これにより、サーマルヘッド４４が上昇し、駐車券１から離れる（ステップＳ５）。この時点で、搬送路３１上の駐車券１は、図９中の（２）に示す印刷終了位置にある。
【００６３】
続いて、ＣＰＵ７１は、搬送モータ４３を制御し、搬送モータ４３を一の方向に中速で回転させる（ステップＳ６）。これにより、駐車券１の移動速度が低速から中速に増加する。駐車券１が、図９中の（２）に示す印刷終了位置から搬送路３１上を排出方向に中速で移動し、図９中の（３）に示すベリファイ開始位置を中速まま通過し、続いて図９中の（４）に示すベリファイ終了位置を中速のまま通過する。このように駐車券１がベリファイ開始位置とベリファイ終了位置との間を中速で通過する間、駐車券１の二次元コード記録領域１２に今回印刷された二次元コードがラインセンサ４６により読み取られ、ラインセンサ４６から読み取られた二次元コードに対応する情報がＣＰＵ７１に送られる（ステップＳ７）。そして、ＣＰＵ７１は、ラインセンサ４６から送られた情報に基づいて、駐車券１の二次元コード記録領域１２に二次元コードが正常に印刷されたか否かを判断する（ベリファイ処理：ステップＳ８）。ベリファイ処理としては、例えば、ラインセンサ４６で読み取られた二次元コードをデコードし、二次元コードとして記録された情報を復元し、当該情報についてそれが正しいか、訂正可能か等を判断する方法や、ラインセンサ４６で読み取られた二次元コードの画像をパルスセンサ７８のパルスカウント毎に整列して静止画像を生成し、その静止画像中の二次元コードの画像のコントラスト、印刷の太り細り程度、直進性や送りピッチ均一性等の印刷品質を判断する方法等が採用可能である。ステップＳ８における判断の結果、駐車券１の二次元コード記録領域１２に二次元コードが正常に印刷された場合には、ＣＰＵ７１は駐車券１の排出方向への中速移動を継続させる。
【００６４】
駐車券１が中速で排出方向に移動を続け、駐車券１の上端部が排出引込口３２に接近すると、第１の光センサ５１において発光素子から発せられ受光素子へ到達する光が駐車券１により遮られる。これにより第１の光センサ５１は所定の検出信号をＣＰＵ７１に出力する。これに応じ、ＣＰＵ７１は、パルスセンサ７８から出力されるパルスのカウントを開始する（ステップＳ９）。そして、パルス数が所定の値（例えばＮ）に達したとき、ＣＰＵ７１は、搬送モータ４３を制御し、搬送モータ４３を停止させる（ステップＳ１０）。この結果、搬送路３１上の駐車券１は、図９中の（５）に示す発行位置で停止する。これにより、駐車券１はその上端部が排出引込口３２を介して券発行口１０３から外部に突出した状態で停止し、利用者はこの駐車券１の上端部を指で掴んで券発行口１０３から引き抜くことができる。
【００６５】
利用者が駐車券１を券発行口１０３から引き抜くと、第１の光センサ５１において発光素子から発せられた光が受光素子に到達するようになる。これにより第１の光センサ５１は上記所定の検出信号の出力を停止する。これに応じ、ＣＰＵ７１は、駐車券１が券発行口１０３から引き抜かれたことを認識する（ステップＳ１１）。
【００６６】
その後、ＣＰＵ７１は、次に発行予定の駐車券２を搬送路３１に供給する。すなわち、上述したように１枚の駐車券１の発行を行っている間、図９に示すように、次に発行予定の駐車券２が分岐搬送路５４の直前の供給準備位置に停止している。駐車券１が券発行口１０３から引き抜かれことを認識した後、ＣＰＵ７１は、図１０に示すように、駐車券供給装置５５のフィードモータ７９を駆動させ、次に発行予定の駐車券２が上方向に高速に移動するようにフィードモータ７９を高速回転させる。これとほぼ同時に、ＣＰＵ７１は、搬送モータ４３を駆動させ、搬送モータ４３を上記一の方向に高速回転させる（ステップＳ１２）。これにより、次に発行予定の駐車券２が分岐搬送路５４に進入し、続いて搬送路３１へ進入する。次に発行予定の駐車券２と、この駐車券２に連結部４を介して連結された他の駐車券との間に形成された離間部５が、カッタ６０に接近したとき、第４の光センサ６１が、その旨を検出し、ＣＰＵ７１に所定の検出信号を出力する。これに応じ、ＣＰＵ７１は、駐車券供給装置５５のパルスセンサ８１から出力されるパルスをカウントし（ステップＳ１３）、パルス数が所定の値（例えばＭ）に達したとき、フィードモータ７９および搬送モータ４３を停止させる（ステップＳ１４）。これにより、駐車券２と他の駐車券との間の各連結部４とカッタ６０とが一致する位置で駐車券２等が停止する。続いて、ＣＰＵ７１は、カッタソレノイド８０を吸引状態にし、短時間経過後（例えばＰ秒経過後）、解放状態に戻す（ステップＳ１５）。これにより、カッタ６０が動作し、駐車券２と他の駐車券との間の各連結部４がカッタ６０により切断される。続いて、ＣＰＵ７１は、搬送モータ４３を上記一の方向に高速回転させる（ステップＳ１６）。これにより、他の駐車券と分離した駐車券２が搬送路３１にさらに進入する。そして、駐車券２の上端部が第２の光センサ５２を通過したとき、第２の光センサ５２からＣＰＵ７１に所定の検出信号が出力される。これに応じ、ＣＰＵ７１は、パルスセンサ７８から出力されるパルスをカウントし（ステップＳ１７）、パルス数が所定の値（例えばＱ）に達したとき、搬送モータ４３を停止させる（ステップＳ１８）。これにより、駐車券２の発行準備が完了する。すなわち、駐車券２が発行準備位置に停止し、当該駐車券２の次に発行予定の駐車券が供給準備位置に停止した状態となる。
【００６７】
一方、図１１に示すように、例えば、サーマルヘッド４４の押圧不良、サーマルヘッド４４の先端部の磨耗、感熱紙である駐車券１の表面の感熱層のムラ、駐車券１の表面に付着した異物や汚れ等により、駐車券１への二次元コードの印刷が正常に行われない場合があり得る。このような場合に対処するために、第１の駐車券処理装置２１は次のような処理を行う。すなわち、図１４中のステップＳ４で、サーマルヘッド４４による駐車券１への二次元コードの印刷が正常に行われなかった場合、ステップＳ８で、ＣＰＵ７１は、ラインセンサ４６から送られた情報に基づいてその旨を認識する。この場合、ＣＰＵ７１は、搬送モータ４３を制御し、搬送モータ４３の回転方向を逆にした上で、高速回転させる（ステップＳ１９）。これにより、駐車券１は、ベリファイ終了位置を少し超えた当たりで、その向きを変え、搬送路３１上を引込方向に高速に移動する。そして、駐車券１の上端部が第４の搬送ローラ３９が配置された位置を超え、搬送路３１の他端部に接近すると、第３の光センサ５３が、その旨を検出し、ＣＰＵ７１に所定の検出信号を出力する。これに応じ、ＣＰＵ７１は、パルスセンサ７８から出力されるパルスをカウントし（ステップＳ２０）、パルス数が所定の値（例えばＲ）に達したとき、搬送モータ４３を停止させる。これにより、駐車券１が搬送路３１の他端部で停止する。その後、この駐車券１は、図示しない廃券ボックスに回収させる。
【００６８】
図１４に示す駐車券処理によれば、駐車券１の発行において、駐車券１に二次元コードを印刷し、その後直ちに、駐車券１に二次元コードが正常に印刷されたか否かを確認する処理（ベリファイ処理）を行ってから、当該駐車券１を排出引込口３２へ排出する。この間、駐車券１に二次元コードを印刷する処理を行っている期間は、駐車券１を低速で移動させ、駐車券１に二次元コードを印刷する処理が終わった後は、直ちに、駐車券１の移動速度を上げ、駐車券１を中速で移動させる。そして、ラインセンサ４６により二次元コードのベリファイ処理を行っている期間も、駐車券１の中速の移動を維持し、中速のまま駐車券１を発行位置まで搬送して発行処理を終える。すなわち、第１の駐車券処理装置２１の駐車券処理によれば、二次元コードのベリファイ処理を行うことで不良の駐車券１が発行されることを防止しながら、駐車券１の移動速度を中速に維持したまま当該ベリファイ処理を短時間で行うことで、駐車券１の発行を迅速に行うことができる。したがって、高品質な駐車券の発行を素早く行うことができる。なお、駐車券１への二次元コードの印刷が終了してから、二次元コードのベリファイ処理が開始されるまでの間、すなわち、印刷終了位置からベリファイ開始位置までの間、駐車券１の移動速度を高速にしてもよい。これにより、駐車券の発行をより一層素早く行うことが可能になる。
【００６９】
また、第１の駐車券処理装置２１の駐車券処理では、駐車券１の表面において上下方向中間部よりも上側の領域に二次元コードを印刷するので（図（２）参照）、駐車券１への二次元コードの印刷を終えてから、駐車券１を発行位置まで搬送し終えるまで、駐車券１の移動距離Ｌを長く確保することができる。これにより、駐車券１を中速で移動させながらのラインセンサ４６による二次元コードのベリファイ処理、または二次元コードの印刷が正常でない場合に駐車券１の搬送方向を反転させて廃棄する処理を容易に実現させることが可能になる。さらに、駐車券１を移動させながらラインセンサ４６で読み取る方式は、例えばＣＣＤカメラで駐車券１を一旦停止させて撮像する方式に比べて、撮像エリアの確保がほとんど必要ないこともメリットである。もし、ＣＣＤカメラを本発明の実施形態のラインセンサ４６と同様な位置に配置した場合、ＣＣＤカメラの撮像範囲の周辺には、駐車券１の表面を遮る部材やガイドなどは全く配置できなくなる。ラインセンサ４６であれば、搬送路３１を横切るスリット状の撮像エリアさえあればよく、それゆえ、搬送路の全長も短く抑えることができ、第１および第２の駐車券処理装置２１、２２を小型化することができる。
【００７０】
（精算時における駐車券処理）
図１２、図１３および図１５は、事前精算機２０１に設けられた第２の駐車券処理装置２２による精算時おける駐車券処理を示している。図１２において、駐車券処理が行われていない間、第２の駐車券処理装置２２の搬送路３１上には駐車券１もその他のカードも存在していない。利用者は、駐車料金の精算をするとき、駐車券１を事前精算機２０１の券挿入口２０３に挿入する。このとき、利用者は、駐車券１の表面を上方向に向け、駐車券１の上端部から駐車券１を券挿入口２０３に挿入する。これが駐車券１を挿入する際の駐車券１の正しい向きである。
【００７１】
利用者が駐車券１を券挿入口２０３に挿入すると、駐車券１の上端部が排出引込口３２を介して第２の駐車券処理装置２２の搬送路３１に進入する。そして、駐車券１の位置が、図１２中の（１）に示す挿入位置となり、駐車券１の上端部が第１の光センサ５１の下方に到達すると、第１の光センサ５１がその旨を検出し、所定の検出信号を第２の駐車券処理装置２２のＣＰＵ７１に出力する（ステップＳ３１）。これに応じ、ＣＰＵ７１は、搬送モータ４３を駆動し、搬送モータ４３を他の方向に中速に回転させる（ステップＳ３２）。これにより、駐車券１は券挿入口２０３から排出引込口３２を介して事前精算機２０１内に引き込まれ、搬送路３１上を引込方向に中速で移動する。そして、駐車券１の位置が、図１２中の（２）に示すマーク読取位置となり、駐車券１の上端部がラインセンサ４６の下方に到達したとき、駐車券１の表面の上端部がラインセンサ４６により読み取られ、ラインセンサ４６から読み取られた情報がＣＰＵ７１に送られる（ステップＳ３３）。続いて、ＣＰＵ７１は、ラインセンサ４６から送られた情報に基づいて、駐車券１の向きが正しい向きか否かを判断する（ステップＳ３４）。具体的には、ラインセンサ４６から送られた情報に識別マーク８に対応する情報が含まれている場合には、ＣＰＵ７１は駐車券１の向きが正しいと判断する。一方、ラインセンサ４６から送られた情報に識別マーク９に対応する情報が含まれている場合には、ＣＰＵ７１は、駐車券の向きが上下反対であり、すなわち、利用者が駐車券１の表面を上方向に向け、駐車券１の下端部から駐車券１を券挿入口２０３に挿入したと判断する。そして、ＣＰＵ７１は、駐車券１の向きが正しい場合には位置設定基準値をＴ１に設定し（ステップＳ３５）、駐車券１の向きが上下反対である場合には位置設定基準値をＴ２に設定する（ステップＳ３６）。
【００７２】
ラインセンサ４６による識別マーク８または９の読取、駐車券１の向きの判断、および位置設定基準値の設定が行われている間、駐車券１は中速で移動し続ける。そして、駐車券１の二次元コード記録領域１２に印刷された二次元コードがラインセンサ４６の下方に到達したとき、当該二次元コードがラインセンサ４６により読み取られ、ラインセンサ４６により読み取られた二次元コードに対応する情報がＣＰＵ７１に送られる（ステップＳ３７）。ここで、駐車券１の二次元コード記録領域１２に印刷されている二次元コードは、駐車券１の発行時に、駐車券発行機１０１に設けられた第１の駐車券処理装置２１により印刷された二次元コードであり、この二次元コードは駐車場への入場情報を示している。ＣＰＵ７１は、ステップＳ３７でラインセンサ４６により読み取られた（デコードされた）情報の中から入場情報を取得し、これをメモリ７２に記憶する。また、このようにラインセンサ４６により二次元コードを読み取っている間も、駐車券１は中速で移動し続ける。
【００７３】
続いて、駐車券１の位置が、図１２中の（３）に示すコード読取終了位置となったとき、ＣＰＵ７１は、搬送モータ４３を制御し、搬送モータ４３の回転方向を維持したまま、回転速度を中速から高速に増加させる（ステップＳ３８）。このとき、分岐ガイド６２は、引込方向に搬送される券ないしカードを搬送路３１の他端側にそのまま搬送する状態（第１の状態）に切り換えられている。これにより、駐車券１は搬送路３１の他端側へ高速に移動する。駐車券１の上端部が搬送路３１の他端部に接近すると、第３の光センサ５３がその旨を検出し、所定の検出信号をＣＰＵ７１に出力する。これに応じ、ＣＰＵ７１は、パルスセンサ７８から出力されるパルスをカウントし（ステップＳ３９）、パルス数が所定の基準値（例えばＳ）に達したとき、搬送モータ４３を停止させる（ステップＳ４０）。この結果、駐車券１は、搬送路３１の他端部、すなわち、図１２中の（４）に示す待機位置で停止する。
【００７４】
続いて、ＣＰＵ７１は、分岐ガイド駆動ソレノイド８２を吸引状態にし、分岐ガイド６２を、引込方向に搬送される券ないしカードを分岐搬送路５４に導く状態（第２の状態）に切り換える（ステップＳ４１）。分岐ガイド６２を第２の状態に切り換えると、第４の搬送ローラ３９において外周側のローラ部と内周側のベルトプーリとの間のクラッチが切断され、搬送モータ４３の回転が第４の搬送ローラ３９のローラ部に伝わらなくなる。その後、事前精算機２０１は利用者に対し、駐車料金を提示し、現金、定期券、回数券等により駐車料金を支払うべき旨を要求する（ステップＳ４２）。
【００７５】
これに応じ、利用者が例えば磁気ストライプ式回数券１７を事前精算機２０１の券挿入口２０３に挿入すると、磁気ストライプ式回数券１７の上端部が排出引込口３２を介して搬送路３１に進入する。そして、磁気ストライプ式回数券１７の位置が、図１２中の（５）に示す挿入位置となったとき、第１の光センサ５１からＣＰＵ７１に所定の検出信号が出力され、これに応じてＣＰＵ７１が搬送モータ４３を他の方向に回転させる。これにより、磁気ストライプ式回数券１７は搬送路３１上を引込方向に中速で移動する。そして、磁気ストライプ式回数券１７の位置が、図１２中の（６）に示すマーク読取位置になったとき、磁気ストライプ式回数券１７の上端部がラインセンサ４６により読み取られ、ラインセンサ４６から読み取られた情報がＣＰＵ７１に送られる。そして、ラインセンサ４６から送られた情報の中に磁気ストライプ部１８の上端部分を示す情報（識別マーク８、９と比較して広い範囲が黒一色であることを示す情報）が含まれている場合には、ＣＰＵ７１は、挿入された券ないしカードが磁気ストライプカードであると判断し、搬送モータ４３の回転速度を高速にする。これにより、磁気ストライプ式回数券１７は搬送路３１を引込方向に高速に移動する。そして、磁気ストライプ式回数券１７が磁気ヘッド４７の下方と通過する間に、磁気ストライプ式回数券１７の磁気ストライプ部１８に記録された情報が磁気ヘッド４７により読み取られる。そして、磁気ストライプ部１８から読み取られた情報は精算処理に利用される。その後、磁気ストライプ式回数券１７は、図１２中の（７）に示す磁気カード処理終了位置まで高速に搬送される。そして、例えば磁気ストライプ式回数券１７の使用可能回数が０である場合には、ＣＰＵ７１は搬送モータ４３をさらに他の方向に回転させ、磁気ストライプ式回数券１７を引込方向に移動させる。この結果、磁気ストライプ式回数券１７は分岐搬送路５４を介して券回収ボックス６３（図５（２）参照）に回収される。一方、例えば磁気ストライプ式回数券１７の使用可能回数が０でない場合には、ＣＰＵ７１は搬送モータ４３を一の方向に回転させ、磁気ストライプ式回数券１７を排出方向に高速に移動させる。磁気ストライプ式回数券１７が磁気ヘッド４７の下方を通過する間に、磁気ストライプ式回数券１７の磁気ストライプ部１８に磁気ヘッド４７により必要な情報（例えば、磁気ストライプ式回数券１７の使用により減算された使用可能回数等を含む管理情報）が記録される。そして、磁気ストライプ式回数券１７が排出引込口３２に到達したとき、ＣＰＵ７１は搬送モータを停止し、磁気ストライプ式回数券１７を停止させる。これにより、磁気ストライプ式回数券１７の端部が券挿入口２０３から突出した状態となる。
【００７６】
利用者が券挿入口２０３から磁気ストライプ式回数券を引き抜いたとき、ＣＰＵ７１は、その旨を第１の光センサ５１から出力される検出信号により認識し、分岐ガイド駆動ソレノイド８２を解放状態にし、分岐ガイド６２を第１の状態に切り換える（ステップＳ４３）。分岐ガイド６２が第１の状態になると、第４の搬送ローラ３９において外周側のローラ部と内周側のベルトプーリとの間のクラッチが接続され、搬送ローラ４３の回転が第４の搬送ローラ３９のローラ部に伝わるようになる。その後、ＣＰＵ７１は搬送モータ４３を駆動し、搬送モータ４３を一の方向に高速回転させる（ステップＳ４４）。これにより、搬送路３１の他端部の待機位置で待機していた駐車券１が搬送路３１を排出方向に移動する。そして、駐車券１の下端部が第２の光センサ５２の下方に到達したとき、第２の光センサ５２がその旨を検出し、所定の検出信号をＣＰＵ７１に出力する。これに応じ、ＣＰＵ７１はパルスセンサ７８から出力されるパルスをカウントし（ステップＳ４５）、そのパルス数が位置設定基準値（Ｔ１）に達したとき、搬送モータ４３を停止する（ステップＳ４６）。これにより、駐車券１が停止する位置が位置設定基準値Ｔ１に基づいて定まる。この結果、正しい向きで挿入された駐車券１に対して二次元コードを印刷すべき位置とサーマルヘッド４４の先端部の位置とが一致し、二次元コードを正しい位置に印刷することが可能になる。
【００７７】
続いて、ＣＰＵ７１は駐車券１に精算情報を示す印字文字および二次元コードを印刷する処理、および印刷した二次元コードのベリファイ処理を行う（ステップＳ４７ないしＳ５６）。ここでの印刷処理およびベリファイ処理は、印刷する印字文字および二次元コードが精算情報を示している点、二次元コードを印刷してから印字文字を印刷する点等、細かい点に着目するといくつか異なる点があるものの、基本的には第１の駐車券処理装置２１の駐車券発行時における駐車券処理（図１４中のステップＳ１ないしＳ１０）と同様である。また、駐車券発行時と精算時とでは駐車券の向きが上下反対であるために、駐車券１の表面における二次元コードの印刷位置が駐車券発行時における駐車券処理と精算時における駐車券処理とでは異なるが、この点は、パルスセンサ７８から出力されるパルスに基づいて搬送モータ４３を停止させるタイミングを変更することにより対処することができる。ステップＳ５６で搬送モータ４３が停止したとき、駐車券１は図１２中の（８）に示す再発行位置（これは発行位置と等しい）で停止する。これにより、駐車券１の下端側が排出引込口３２を介して券挿入口２０３から外部に突出するので、利用者はこの駐車券１を指で掴んで引き抜くことができる。
【００７８】
一方、図１３に示すように、駐車券１の向きが上下反対の状態で券挿入口２０３に挿入された場合には、ステップＳ３３で、ラインセンサ４６により読み取られた情報には識別マーク９に対応する情報が含まれている。ＣＰＵ７１は、この識別マーク９に対応する情報に基づいて駐車券の向きが上下反対であることを認識し（ステップＳ３４）、位置設定基準値をＴ２に設定する（ステップＳ３６）。これにより、ステップＳ４５で、駐車券１の停止位置が位置設定基準値Ｔ２に基づいて定まる。この結果、上下反対の向きで挿入された駐車券１に対して二次元コードを印刷すべき位置とサーマルヘッド４４の先端部の位置とが一致し、二次元コードを正しい位置に印刷することが可能になる。
【００７９】
他方、ステップＳ５４で、駐車券１への二次元コードの印刷が正常に行われなかった場合には、ＣＰＵ７１は、搬送モータ４３を他の方向に高速回転させて駐車券１を引込方向に高速移動させ（ステップＳ５８）、第２の光センサ５２から出力される検出信号およびパルスセンサ７８から出力されるパルスに基づいて、駐車券１をサーマルヘッド４４の下方の適切な位置に停止させ（ステップＳ５９）、精算情報を示す二次元コードの印刷を再び行う。このときの二次元コードは、駐車券１の二次元コード記録領域１２内であって、前回の印刷して不良であると確認された二次元コードの右隣に印刷される。その後の再度のベリファイ処理により、今回の二次元コードの印刷も正常に行われなかったことが確認された場合には、エラーと判断する（ステップＳ５７、Ｓ６０）。
【００８０】
図１５に示す駐車券処理によれば、券挿入口２０３に挿入された券ないしカードが駐車券１であるか磁気ストライプカードであるかを判断し、磁気ストライプカードの場合には、駐車券１の場合よりも、搬送路３１を移動する速度を速くすることにより、磁気ストライプカードに対する情報の読取または記録を迅速に行うことができる。また、第２の駐車券処理装置２２の駐車券処理によれば、二次元コードのベリファイ処理を行うことで印刷品質等が不良の駐車券１が再発行（返却）されることを防止しながら、駐車券１の移動速度を中速に維持したまま当該ベリファイ処理を短時間で行うことで、駐車券１の再発行を迅速に行うことができる。したがって、高品質な駐車券の再発行を素早く行うことができる。また、駐車券１に印刷された識別マーク８、９を読み取って駐車券１が挿入された向きを判断し、駐車券１の向きに応じて搬送路３１上における駐車券１の停止位置等を決定することにより、利用者が誤って駐車券１を上下反対の向きに挿入してしまった場合でも、精算処理および駐車券１の再発行を確実に行うことができる。
【００８１】
なお、本発明のカード状記録媒体処理装置は、上述したような駐車券処理装置に限らず、例えば、建物や敷地の入退場を管理する管理装置等にも適用することができる。
【００８２】
また、本発明は、請求の範囲および明細書全体から読み取ることのできる発明の要旨または思想に反しない範囲で適宜変更可能であり、そのような変更を伴うカード状記録媒体処理装置もまた本発明の技術思想に含まれる。
【産業上の利用可能性】
【００８３】
本発明は、例えばゲート式駐車場において利用することが可能であり、これにより、駐車場近隣の商業施設等の様々な券媒体の受け入れを可能にしつつ、ランニングコストを抑えることができる新しいタイプの駐車場を実現することができる。
【符号の説明】
【００８４】
１、２  駐車券（カード状記録媒体）
８、９  識別マーク
１３Ａ、１３Ｂ、１３Ｃ、１３Ｄ  印字文字
１４Ａ、１４Ｂ、１４Ｃ、１４Ｄ  二次元コード
１６  磁気ストライプ式定期券
１７  磁気ストライプ式回数券
１８  磁気ストライプ部
２１  第１の駐車券処理装置（カード状記録媒体処理装置）
２２  第２の駐車券処理装置（カード状記録媒体処理装置）
３１  搬送路
３２  排出引込口
３３  第１の搬送ローラ（搬送機構）
３４  搬送プーリ（搬送機構）
３５  第２の搬送ローラ（搬送機構）
３７  第３の搬送ローラ（搬送機構）
３８  搬送プーリ（搬送機構）
３９  第４の搬送ローラ（搬送機構）
４０  搬送プーリ（搬送機構）
４１  ベルトプーリ（搬送機構）
４２  搬送ベルト（搬送機構）
４３  搬送モータ（搬送機構）
４４  サーマルヘッド
４５  プラテンローラ
４６  ラインセンサ
４７  磁気ヘッド
５１  第１の光センサ
５２  第２の光センサ
５３  第３の光センサ
７１  ＣＰＵ（搬送制御部、二次元コード記録部、ベリファイ処理部、向き判断部、種別判断部）
７２  メモリ
【図１】
0005956792.tif 000002
【図２】
0005956792.tif 000003
【図３】
0005956792.tif 000004
【図４】
0005956792.tif 000005
【図５】
0005956792.tif 000006
【図６】
0005956792.tif 000007
【図７】
0005956792.tif 000008
【図８】
0005956792.tif 000009
【図９】
0005956792.tif 000010
【図１０】
0005956792.tif 000011
【図１１】
0005956792.tif 000012
【図１２】
0005956792.tif 000013
【図１３】
0005956792.tif 000014
【図１４】
0005956792.tif 000015
【図１５】
0005956792.tif 000016